(57)【要約】【課題】戸パネル間で手指が挟まれるのを防止できるとともに、戸パネルの開閉動作を安定させることができ、さらに、製造コストを抑えることのできる折戸構造を提供する。【解決手段】折戸構造１０は、２枚の戸パネル１２ａ，１２ｂを回動自在に連結する蝶番１４を備えており、蝶番１４の回動軸３０が戸パネル１２ａ，１２ｂ間に生じる隙間Ｓに沿って配設されている。また、折戸構造１０は、一方の戸パネル１２ａに取り付けられる取付部３８と、略円形の断面を有する棒状の隙間遮蔽部１６とを有する指詰防止部材２２を備えており、隙間遮蔽部１６が回動軸３０の延長線上において隙間Ｓに沿って配設されている。【選択図】図１
2009002016.tif 000002
【特許請求の範囲】
【請求項１】
開口部を開閉する２枚の戸パネル、
一方の前記戸パネルに取り付けられる第１取付片と、他方の前記戸パネルに取り付けられる第２取付片と、前記戸パネル間に生じる隙間に沿って配設され、前記第１取付片と前記第２取付片とを回動自在に連結する回動軸とを有する蝶番、および
一方の前記戸パネルに取り付けられる取付部と、略円形の断面を有し、前記蝶番の前記回動軸の延長線上において前記隙間に沿って配設される棒状の隙間遮蔽部とを有する指詰防止部材を備える、折戸構造。
【請求項２】
一方の前記戸パネルの幅方向端面には、第１傾斜面を有する第１目地部が配設されており、他方の前記戸パネルの幅方向端面には、第２傾斜面を有する第２目地部が配設されており、前記第１傾斜面と前記第２傾斜面とによって前記蝶番の回動中心に近い側から遠い側へ向かって広がる略Ｖ字状の空間が前記隙間内に構成される、請求項１に記載の折戸構造。
【請求項３】
前記第１目地部または前記第２目地部の少なくとも一方に設けられた取手部をさらに備える、請求項２に記載の折戸構造。
【発明の詳細な説明】
【技術分野】
【０００１】
本発明は、住宅の部屋間や収納の開口部に用いられる折戸構造に関し、特に、２枚の戸パネル間で手指を挟むのを防止できる、折戸構造に関する。
【背景技術】
【０００２】
従来の一般的な折戸構造１は、図１４に示すように、２枚の戸パネル２ａ，２ｂを蝶番３で連結した構成を有しており、蝶番３を１８０度に開いた状態（全閉状態）では、一方の戸パネル２ａと他方の戸パネル２ｂとが直線状に配置され、蝶番３を閉じた状態（全開状態）では、一方の戸パネル２ａが他方の戸パネル２ｂに重ね合わされる。
【０００３】
このような折戸構造１では、蝶番３の構造上、戸パネル２ａ，２ｂ間に隙間Ｓが生じるため、開口４ｂから隙間Ｓに手指５が入り込むおそれがあり、手指５が入り込んだ状態で戸パネル２ａ，２ｂを開閉操作すると、戸パネル２ａ，２ｂ間で手指５が挟まれて怪我をするおそれがあった。特に、蝶番３の回動中心に近い側の開口４ａに手指５が挟まれると、戸パネル１２ａ，１２ｂのエッジ間における挟力によって大怪我をするおそれがあった。
【０００４】
この問題を解決する手段として、特許文献１には、「戸パネル間に生じる隙間を棒状のヒンジ部材で遮蔽するとともに、当該隙間内に目地部材によって略Ｖ字状の空間を構成した折戸構造」が開示されている。
【特許文献１】特開平１０−３３１５１４号
【発明の開示】
【発明が解決しようとする課題】
【０００５】
特許文献１の「折戸構造」によれば、戸パネル間に生じる隙間の回動中心側の開口（図１４における開口４ａに相当）をヒンジ部材によって遮蔽することができるので、隙間から当該開口へ手指が入り込むのを防止できる。また、回動中心側とは反対側の開口（図１４における開口４ｂに相当）には、略Ｖ字状の空間が開かれているので、当該開口から隙間内に入り込んだ手指を略Ｖ字状の空間に逃がすことができる。
【０００６】
しかしながら、特許文献１の「折戸構造」では、戸パネルの上下両端面にヒンジ部材を支持するヒンジ金具を取り付け、ヒンジ金具どうしを連結板で回動自在に連結していたので（特許文献１の図１）、ヒンジ金具と連結板との間に「がたつき」が生じ易く、戸パネルの開閉動作が安定しないという問題があった。
【０００７】
また、戸パネルどうしを連結する機構が特殊であり、汎用の蝶番等をそのまま用いることができないので、従来の製造プロセスを大幅に変更しなければならず、コスト高になるという問題があった。
【０００８】
それゆえに本発明の主たる課題は、戸パネル間で手指が挟まれるのを防止できるとともに、戸パネルの開閉動作を安定させることができ、さらに、製造コストを抑えることのできる、折戸構造を提供することである。
【課題を解決するための手段】
【０００９】
請求項１に記載した発明は、「開口部を開閉する２枚の戸パネル１２ａ，１２ｂ、一方の前記戸パネル１２ａに取り付けられる第１取付片２８ａと、他方の前記戸パネル１２ｂに取り付けられる第２取付片２８ｂと、前記戸パネル１２ａ，１２ｂ間に生じる隙間Ｓに沿って配設され、前記第１取付片２８ａと前記第２取付片２８ｂとを回動自在に連結する回動軸３０とを有する蝶番１４、および一方の前記戸パネル１２ａに取り付けられる取付部３８と、略円形の断面を有し、前記蝶番１４の前記回動軸３０の延長線上において前記隙間Ｓに沿って配設される棒状の隙間遮蔽部１６とを有する指詰防止部材２２を備える、折戸構造１０」である。
【００１０】
本発明では、蝶番１４の回動軸３０が戸パネル１２ａ，１２ｂ間に生じる隙間Ｓに沿って配設されており、また、指詰防止部材２２の隙間遮蔽部１６が蝶番１４の回動軸３０の延長線上において隙間Ｓに沿って配設されている。したがって、蝶番１４が配設された側における隙間Ｓの開口を隙間遮蔽部１６によって完全に遮蔽することができ、隙間Ｓから当該開口へ手指が入り込むのを防止できる。
【００１１】
また、一方の戸パネル１２ａに対して他方の戸パネル１２ｂを回動させると、他方の戸パネル１２ｂの幅方向端縁Ａ（特に蝶番１４側の角部）が、隙間遮蔽部１６の外面との間隔を一定に保持しつつ、その外面に沿って回動する。したがって、隙間遮蔽部１６の周囲に手指を挟むほどの大きな隙間が生じることはない。
【００１２】
請求項２に記載した発明は、請求項１に記載した「折戸構造１０」において、「一方の前記戸パネル１２ａの幅方向端面には、第１傾斜面４４ａを有する第１目地部１８ａが配設されており、他方の前記戸パネル１２ｂの幅方向端面には、第２傾斜面４４ｂを有する第２目地部１８ｂが配設されており、前記第１傾斜面４４ａと前記第２傾斜面４４ｂとによって前記蝶番１４の回動中心に近い側から遠い側へ向かって広がる略Ｖ字状の空間Ｖが前記隙間Ｓ内に構成される」ことを特徴とする。
【００１３】
本発明では、蝶番１４の回動中心に近い側から遠い側へ向かって広がる略Ｖ字状の空間Ｖを隙間Ｓ内に構成するようにしているので、隙間Ｓに入り込んだ手指をこの空間Ｖに逃がすことができる。また、戸パネル１２ａ，１２ｂを閉じる際には、隙間Ｓに入り込んだ手指を目地部１８ａ，１８ｂの傾斜面４４ａ，４４ｂによって隙間Ｓの外側へ押し出すことができる。
【００１４】
請求項３に記載した発明は、請求項２に記載した「折戸構造１０」において、「前記第１目地部１８ａまたは前記第２目地部１８ｂの少なくとも一方に設けられた取手部２０，６２をさらに備える」ことを特徴とする。
【００１５】
本発明は、戸パネル１２ａ，１２ｂの開閉操作を容易に行うために、第１目地部１８ａまたは第２目地部１８ｂの少なくとも一方に取手部２０，６２を設けたものである。
【発明の効果】
【００１６】
請求項１〜３に記載した発明では、蝶番１４が配設された側（回動中心側）における隙間Ｓの開口を隙間遮蔽部１６によって完全に遮蔽することができるので、隙間Ｓから当該開口へ手指が入り込むのを防止でき、戸パネル１２ａ，１２ｂのエッジ間で手指が挟まれるといった事故を防止できる。
【００１７】
また、蝶番１４としては、従来から使用されている汎用品をそのまま用いることができるので、従来の折戸構造（図１４）の製造プロセスを大幅に変更する必要はなく、製造コストを抑えることができる。さらに、蝶番１４としては、一つの部品として精度よく組み立てられた「がたつき」の生じないものを入手可能であることから、戸パネル１２ａ，１２ｂの開閉動作を安定させることができる。
【発明を実施するための最良の形態】
【００１８】
図１は、本発明が適用された折戸構造１０を示す平面図であり、図２は、折戸構造１０を示す正面斜視図であり、図３は、折戸構造１０を示す背面斜視図である。ただし、図面では、本実施例の特徴部分（主に戸パネルの連結部分）を示しており、従来と同じ構成が用いられる他の部分は省略している。
【００１９】
本実施例に係る折戸構造１０（図１〜図３）は、住宅の部屋間や収納の開口部（以下、単に「開口部」という。）に用いられるものであり、開口部を開閉する２枚の戸パネル１２ａ，１２ｂと、２枚の戸パネル１２ａ，１２ｂを回動自在に連結する蝶番１４と、戸パネル１２ａ，１２ｂ間の隙間Ｓを蝶番１４側（回動中心側）の開口において遮蔽する隙間遮蔽部１６と、隙間Ｓ内に略Ｖ字状の空間Ｖを確保する一対の目地部１８ａ，１８ｂと、取手部２０とを主要な構成部品ないし構成部分として備えている。
【００２０】
なお、各構成要素の「物理的一体性」に着目すると、「隙間遮蔽部１６」、「目地部１８ａ」および「取手部２０」は、一部品である「指詰防止部材２２」の構成部分として存在し、「目地部１８ｂ」は、一部品である「目地部材２４」の構成部分として存在している。そこで、以下には、便宜上、「戸パネル１２ａ，１２ｂ」、「蝶番１４」、「指詰防止部材２２」および「目地部材２４」を基本的構成要素として説明する。また、「目地部１８ａ」と「目地部１８ｂ」とを明確に区別するために、前者を「第１目地部１８ａ」と称し、後者を「第２目地部１８ｂ」と称することにする。
【００２１】
戸パネル１２ａ，１２ｂは、開口部の一部または全部を塞ぐ板状部材であり、戸パネル１２ａ，１２ｂの上面には、開口部の天井面に固定されたレールに摺動自在に吊下げられる吊下部（図示省略）が取り付けられており、戸パネル１２ａ，１２ｂの表面には、必要に応じて取手（図示省略）が取り付けられている。また、戸パネル１２ａ，１２ｂの幅方向端部表面における蝶番１４が取り付けられる箇所には、嵌合凹部２６ａ，２６ｂが形成されている。嵌合凹部２６ａ，２６ｂは、円形の一部を直線で切除した形状（略Ｄ字状）に形成されており、切除部分（直接部分）が戸パネル１２ａ，１２ｂの幅方向端面に開放されている。
【００２２】
なお、戸パネル１２ａ，１２ｂの材質としては、特に限定されるものではなく、挽材、合板、木質繊維板（ＩＢ，ＭＤＦ等）、木削片板（パーティクルボード、ストランドボード、ＯＳＢ等）、集成材、単板積層材等の木質系材料や、硬質塩化ビニール樹脂、ＡＢＳ樹脂、ＰＳ樹脂（ポリスチレン樹脂）等の合成樹脂材料等を任意に選択して用いることができる。
【００２３】
また、戸パネル１２ａ，１２ｂの表面には、化粧紙、化粧樹脂含浸紙、化粧合成樹脂シート（オレフィンシート、塩ビシート等）、化粧単板または突板等からなる化粧面材が貼り付けられてもよく、これらの化粧面材に着色塗装、柄模様印刷または透明塗装等が施されてもよい。さらに、化粧面材が貼り付けられた後に、化粧面材の表面に着色塗装や透明塗装が施されてもよい。また、戸パネル１２ａ，１２ｂは、板状のパネル本体の四辺に枠体を取り付けたものであってもよい。
【００２４】
蝶番１４は、図４〜図６に示すように、一方の戸パネル１２ａの端部表面に取り付けられる板状の第１取付片２８ａと、他方の戸パネル１２ｂの端部表面に取り付けられる板状の第２取付片２８ｂと、戸パネル１２ａ，１２ｂ間に生じる隙間Ｓに沿って配設され、第１取付片２８ａと第２取付片２８ｂとを回動自在に連結する回動軸３０とを有している。そして、第１取付片２８ａおよび第２取付片２８ｂには、固定ネジ３２（図７）が挿通される複数のネジ孔３２ａが形成されており、第１取付片２８ａおよび第２取付片２８ｂの背面には、戸パネル１２ａ，１２ｂに形成された嵌合凹部２６ａ，２６ｂ（図１）に嵌合される略円盤状の嵌合部材３４ａ，３４ｂが取り付けられている。さらに、第１取付片２８ａおよび第２取付片２８ｂの表面には、蝶番１４の開状態を保持する保持機構３６が設けられている。
【００２５】
嵌合部材３４ａ，３４ｂは、円形の一部を直線で切除した形状（略Ｄ字状）に形成されており、蝶番１４が１８０度に開かれた状態（図示状態）では、嵌合部材３４ａ，３４ｂにおける切除部分（直接部分）の端面どうしが当接される。したがって、蝶番１４が１８０度より大きく開かれることはない。
【００２６】
保持機構３６は、回動軸３０の外周に配設された略Ｃ字状の係合部材３６ａと、第１取付片２８ａの表面に配設された保持部材３６ｂとを有しており、保持部材３６ｂがバネ（図示省略）の弾発力によって係合部材３６ａ側へ付勢されている。そして、蝶番１４が１８０度に開かれると、係合部材３６ａの周方向端縁に保持部材３６ｂが係合され、蝶番１４の開状態が保持される。一方、１８０度に開かれた蝶番１４を閉じようとすると、保持部材３６ｂが係合部材３６ａの周方向端縁に押されて後退し、保持部材３６ｂによる保持状態が解除される。
【００２７】
指詰防止部材２２は、図１および図７に示すように、取付部３８と、隙間遮蔽部１６と、第１目地部１８ａと、取手部２０とによって構成されている。
【００２８】
取付部３８は、指詰防止部材２２の全体を戸パネル１２ａに固定するための板状部材であり、取付部３８の長さは、戸パネル１２ａの縦方向長さとほぼ同じに設定されている。そして、取付部３８における蝶番１４が配設される箇所には、蝶番１４の嵌合部材３４ａが嵌め込まれる嵌合孔４０が形成されており、また、取付部３８には、固定ネジ４２が挿通される複数のネジ孔４２ａが形成されている。
【００２９】
隙間遮蔽部１６は、蝶番１４の回動軸３０の延長線上において隙間Ｓに沿って配設される棒状部分であり、略円形の断面を有している。そして、隙間遮蔽部１６の中心は、蝶番１４における回動軸３０の中心の延長線上に配置されており、隙間遮蔽部１６の直径は、戸パネル１２ａ，１２ｂ間の間隔（すなわち隙間Ｓの幅）よりもやや小さく設定されている。
【００３０】
したがって、一方の戸パネル１２ａに対して他方の戸パネル１２ｂを回動させると、図８に示すように、他方の戸パネル１２ｂの幅方向端縁Ａ（特に蝶番１４側の角部）が、隙間遮蔽部１６の外面との間隔を一定に保持しつつ、その外面に沿って回動する。ただし、本実施例では、幅方向端縁Ａ（特に蝶番１４側の角部）を覆うようにして目地部材２４が配設されているので、見た目上は、目地部材２４が隙間遮蔽部１６の外面に沿って回動することになる。
【００３１】
第１目地部１８ａは、戸パネル１２ａの幅方向端面に縦方向へ延びて配設された棒状部分であり、図１に示すように、２枚の戸パネル１２ａ，１２ｂを直線状に配置した状態（全閉状態）において蝶番１４の回動中心に近い側から遠い側へ向かって広がる略Ｖ字状の空間Ｖを構成する傾斜面（第１傾斜面）４４ａを有している。そして、第１目地部１８ａにおける空間Ｖの開口側端部には、戸パネル１２ａの表面に配設される位置決め片４６が形成されている。また、第１目地部１８ａにおける蝶番１４が配設される箇所には、蝶番１４の嵌合部材３４ａが嵌め込まれる嵌合凹部２６ｃ（図１、図７）が形成されている。
【００３２】
取手部２０は、戸パネル１２ａを回動させる際に操作者が手を掛ける部分であり、第１目地部１８ａの傾斜面４４ａと面一となる傾斜面４８ａを有する板状部４８と、板状部４８の先端部に戸パネル１２ａと平行に形成された手掛け部５０と、手掛け部５０の先端部に戸パネル１２ａ側へ突出して形成された突条５２とによって構成されている。
【００３３】
目地部材２４は、図１および図７に示すように、取付部５４と、第２目地部１８ｂとによって構成されている。
【００３４】
取付部５４は、目地部材２４の全体を戸パネル１２ｂに固定するための板状部材であり、取付部５４の長さは、戸パネル１２ｂの縦方向長さとほぼ同じに設定されている。そして、取付部５４における蝶番１４が配設される箇所には、蝶番１４の嵌合部材３４ｂが嵌め込まれる嵌合孔５６が形成されており、また、取付部５４には、固定ネジ４２が挿通される複数のネジ孔４２ａが形成されている。
【００３５】
第２目地部１８ｂは、戸パネル１２ｂの幅方向端面に縦方向へ延びて配設された棒状部分であり、図１に示すように、第１目地部１８ａの傾斜面（第１傾斜面）４４ａと協働して空間Ｖを構成する傾斜面（第２傾斜面）４４ｂを有している。そして、第２目地部１８ｂにおける空間Ｖの開口側端部には、戸パネル１２ｂの表面に配設される位置決め片６０が形成されており、第２目地部１８ｂにおける蝶番１４が配設される箇所には、蝶番１４の嵌合部材３４ｂが嵌め込まれる嵌合凹部２６ｄ（図１、図７）が形成されている。さらに、第２目地部１８ｂにおける隙間遮蔽部１６と近接する部分には、隙間遮蔽部１６の外面に沿って湾曲した湾曲面５８が形成されている。
【００３６】
隙間遮蔽部１６の外面と湾曲面５８との隙間幅は、手指が挟まれない程度に十分に狭く設定されており、一方の戸パネル１２ａに対して他方の戸パネル１２ｂを回動させると、当該隙間幅を一定に保持しつつ、湾曲面５８が隙間遮蔽部１６の外面に沿って回動される。
【００３７】
なお、指詰防止部材２２および目地部材２４の構成材料としては、アルミニウムまたは鉄等の金属や、ポリエチレン等の合成樹脂等を任意に選択して用いることができるが、大量生産における成形性を考慮すると、押出成形可能な材料を用いることが望ましい。
【００３８】
折戸構造１０を構成する際には、まず、戸パネル１２ａ，１２ｂを準備し、これらに嵌合凹部２６ａ，２６ｂを加工する。一方、図９に示すように、押出成形等によって形成された所定長さの指詰防止部材２２および目地部材２４を準備し、これらに欠損部１６ａ、嵌合孔４０，５６、嵌合凹部２６ａ，２６ｂを加工する（図７）。
【００３９】
続いて、図７に示すように、嵌合凹部２６ａ，２６ｃに嵌合孔４０が一致するようにして指詰防止部材２２を戸パネル１２ａの幅方向端部に取り付けるとともに、嵌合凹部２６ｂ，２６ｄに嵌合孔５６が一致するようにして目地部材２４を戸パネル１２ｂの幅方向端部に取り付ける。
【００４０】
なお、この取付工程では、固定ネジ４２と接着剤とを併用してもよいし、これらのいずれか一方だけを用いるようにしてもよい。また、固定ネジ４２が挿通されるネジ孔４２ａは、目地部１８ａ，１８ｂに形成してもよいし、取付部３８，５４および目地部１８ａ，１８ｂの両方に形成してもよい。
【００４１】
指詰防止部材２２および目地部材２４の取り付けが完了すると、蝶番１４の嵌合部材３４ａを嵌合凹部２６ａ，２６ｃに嵌合するとともに、第１取付片２８ａを取付部３８の表面に配置する。また、蝶番１４の嵌合部材３４ｂを嵌合凹部２６ｂ，２６ｄに嵌合するとともに、第２取付片２８ｂを取付部５４の表面に配置する。そして、第１取付片２８ａおよび第２取付片２８ｂを固定ネジ３２を用いて戸パネル１２ａ，１２ｂに固定する。
【００４２】
本実施例では、蝶番１４の回動軸３０が隙間Ｓに沿って配設され、かつ、指詰防止部材２２の隙間遮蔽部１６が回動軸３０の延長線上において隙間Ｓに沿って配設されているので、蝶番１４が配設された側（回動中心側）における隙間Ｓの開口を隙間遮蔽部１６によって完全に遮蔽することができる。したがって、隙間Ｓから当該開口へ手指が入り込むのを防止でき、戸パネル１２ａ，１２ｂのエッジ間で手指が挟まれる事故を防止できる。
【００４３】
また、蝶番１４の回動中心に近い側から遠い側へ向かって広がる略Ｖ字状の空間Ｖを隙間Ｓ内に構成しているので、隙間Ｓに入り込んだ手指をこの空間Ｖに逃がすことができる。また、戸パネル１２ａ，１２ｂを閉じる際には、隙間Ｓに入り込んだ手指を目地部１８ａ，１８ｂの傾斜面４４ａ，４４ｂによって隙間Ｓの外側へ押し出すことができる。したがって、蝶番１４が配設された側（回動中心側）とは反対側においても、隙間Ｓにおいて手指が挟まれる事故を防止できる。
【００４４】
なお、上述の実施例では、板状の取手部２０を指詰防止部材２２における第１目地部１８ａの長手方向全長に形成しているが、図１０に示すように、板状の取手部２０を第１目地部１８ａの一部にのみ形成してもよいし、図１１に示すように、板状の取手部２０に代えてコ字状の取手部６２を形成してもよい。また、これらの取手部２０または６２を後付けするようにしてもよい。そして、取手部２０または６２を、目地部材２４における第２目地部１８ｂに設けてもよいし、第１目地部１８ａおよび第２目地部１８ｂの両方に設けてもよい。さらに、戸パネル１２ａ，１２ｂに取手（図示省略）を取り付けた場合のように、他の開閉操作部が存在する場合には、取手部２０および６２は設けなくてもよい。
【００４５】
また、図１２に示すように、目地部１８ａ，１８ｂに嵌合突部６４を形成するとともに、戸パネル１２ａ，１２ｂの幅方向端面に嵌合凹部６６を形成し、嵌合突部６４と嵌合凹部６６とを嵌合するようにしてもよい。この場合には、目地部１８ａ，１８ｂと戸パネル１２ａ，１２ｂとの接合性をより高めることができる。
【００４６】
さらに、図１３に示すように、目地部材２４（図１）を省略するとともに、第１目地部１８ａの傾斜面４４ａを戸パネル１２ｂの幅方向端縁Ａ（特に蝶番１４側の角部）に近接する位置まで延ばして形成してもよい。この場合でも、戸パネル１２ｂの幅方向端縁Ａが隙間遮蔽部１６の外面に沿って回動するので、隙間遮蔽部１６の外面と幅方向端縁Ａとの隙間幅を手指が挟まれない程度に狭く設定することによって、当該隙間で手指が挟まれる事故を防止できる。また、第１目地部１８ａの傾斜面４４ａと戸パネル１２ｂの端面とによって略Ｖ字状の空間Ｖを構成することができるので、隙間Ｓに入り込んだ手指を空間Ｖに逃がすことができる。さらに、隙間Ｓに入り込んだ手指を第１目地部１８ａの傾斜面４４ａと戸パネル１２ｂの端面とによって隙間Ｓの外側へ押し出すことができる。
【図面の簡単な説明】
【００４７】
【図１】折戸構造を示す平面図
【図２】折戸構造を示す正面斜視図
【図３】折戸構造を示す背面斜視図
【図４】蝶番を示す平面図
【図５】蝶番を示す正面図
【図６】蝶番を示す背面図
【図７】折戸構造を示す分解斜視図
【図８】折戸構造の開閉動作を示す平面図
【図９】指詰防止部材および目地部材（押出成形されたもの）を示す斜視図
【図１０】取手部の変形例を示す斜視図
【図１１】取手部の他の変形例を示す斜視図
【図１２】指詰防止部材および目地部材の取付構造の変形例を示す平面図
【図１３】他の折戸構造を示す平面図
【図１４】従来技術を示す平面図
【符号の説明】
【００４８】
１０…  折戸構造
１２ａ，１２ｂ…  戸パネル
１４…  蝶番
１６…  隙間遮蔽部
１６ａ…  欠損部
１８ａ…  目地部（第１目地部）
１８ｂ…  目地部（第２目地部）
２０，６２…  取手部
２２…  指詰防止部材
２４…  目地部材
２６ａ，２６ｂ…  嵌合凹部
２８ａ…  第１取付片
２８ｂ…  第２取付片
３０…  回動軸
３２，４２…  固定ネジ
３２ａ，４２ａ…  ネジ孔
３４ａ，３４ｂ…  嵌合部材
３６…  保持機構
３６ａ…  係合部材
３６ｂ…  保持部材
３８，５４…  取付部
４６，６０…  位置決め片
４０，５６…  嵌合孔
４４ａ…  傾斜面（第１傾斜面）
４４ｂ…  傾斜面（第２傾斜面）
４８…  板状部
４８ａ…  傾斜面
５０…  手掛け部
５２…  突条
５８…  湾曲面
６４…  嵌合突部
６６…  嵌合凹部
【図１】
2009002016.tif 000003
【図２】
2009002016.tif 000004
【図３】
2009002016.tif 000005
【図４】
2009002016.tif 000006
【図５】
2009002016.tif 000007
【図６】
2009002016.tif 000008
【図７】
2009002016.tif 000009
【図８】
2009002016.tif 000010
【図９】
2009002016.tif 000011
【図１０】
2009002016.tif 000012
【図１１】
2009002016.tif 000013
【図１２】
2009002016.tif 000014
【図１３】
2009002016.tif 000015
【図１４】
2009002016.tif 000016